(57)【要約】【課題】画像の色座標と実物の色座標との違いを或る程度抑制しながら、表示装置の色再現範囲を有効に利用する信号処理装置及び投写型映像表示装置を提供する。【解決手段】信号処理装置２００は、表示装置の色再現範囲に応じて、映像入力信号の色座標を調整する色座標調整処理を行う色座標調整部２６０と、映像入力信号の明度成分を調整する明度調整処理を行う明度調整部２３０と、色座標調整係数及び明度調整係数を制御する係数制御部２２０とを備える。係数制御部２２０は、第１色相を有する画素の彩度が高い場合に、映像入力信号の明度成分が小さくなるように明度調整係数を制御する。係数制御部２２０は、第２色相を有する画素の彩度が高い場合に、映像入力信号の明度成分が大きくなるように明度調整係数を制御する。制御部は、色座標調整係数を増大した場合に、明度調整係数を減少する。【選択図】図４
2010157900.tif 000002
【特許請求の範囲】
【請求項１】
映像入力信号を映像出力信号に変換して、前記映像出力信号を表示装置に出力する信号処理装置であって、
前記表示装置の色再現範囲に応じて、前記映像入力信号の色座標を調整する色座標調整処理を行う色座標調整部と、
前記映像入力信号の明度成分を調整する明度調整処理を行う明度調整部と、
前記色座標調整処理及び前記明度調整処理の結果を用いて、前記映像出力信号を出力する出力信号出力部と、
第１色相を有する画素の値及び第２色相を有する画素の値に基づいて、前記色座標調整処理で用いる色座標調整係数及び前記明度調整処理で用いる明度調整係数を制御する制御部とを備え、
前記制御部は、前記第１色相を有する画素の彩度が高い場合に、前記映像入力信号の明度成分が小さくなるように前記明度調整係数を制御し、
前記制御部は、前記第２色相を有する画素の彩度が高い場合に、前記映像入力信号の明度成分が大きくなるように前記明度調整係数を制御し、
前記制御部は、前記色座標調整係数を増大した場合に、前記明度調整係数を減少することを特徴とする信号処理装置。
【請求項２】
前記制御部は、前記色座標調整係数及び前記明度調整係数を所定単位毎に補正することを特徴とする請求項１に記載の信号処理装置。
【請求項３】
前記映像入力信号の彩度成分を調整する彩度調整処理を行う彩度調整部をさらに備え、
前記制御部は、前記第１色相を有する画素の値及び前記第２色相を有する画素の値に基づいて、前記彩度調整処理で用いる彩度調整係数を制御し、
前記制御部は、前記色座標調整係数を増大した場合に、前記彩度調整係数を減少することを特徴とする請求項１に記載の信号処理装置。
【請求項４】
前記制御部は、第３色相を有する画素の値に基づいて、前記色座標調整係数及び前記明度調整係数を制御することを特徴とする請求項１に記載の信号処理装置。
【請求項５】
前記第１色相は、赤又は緑に対応する色相であり、
前記第２色相は、青に対応する色相であることを特徴とする請求項１に記載の信号処理装置。
【請求項６】
請求項１に記載された信号処理装置と、前記信号処理装置から出力された映像出力信号に応じて画像を表示する表示装置と、前記表示装置によって表示された画像を投写する投写手段とを備えることを特徴とする投写型映像表示装置。
【発明の詳細な説明】
【技術分野】
【０００１】
本発明は、映像入力信号を映像出力信号に変換する信号処理装置及び投写型映像表示装置に関する。
【背景技術】
【０００２】
従来、カメラなどの撮像装置によって撮像された画像を表示する表示装置が知られている。表示装置に光を照射する光源として、色再現範囲が広い固体光源（例えば、ＬＤ；Ｌａｓｅｒ  ＤｉｏｄｅやＬＥＤ；Ｌｉｇｈｔ  Ｅｍｉｔｔｉｎｇ  Ｄｉｏｄｅ）が開発されている。このような表示装置の色再現範囲が撮像装置の色再現範囲と異なるケースが想定される。
【０００３】
一方で、入力機器（例えば、撮像装置）の色再現範囲が出力機器（例えば、表示装置）の色再現範囲よりも広い場合に、入力機器の色再現範囲を縮小する技術が提案されている（例えば、特許文献１）。具体的には、色再現範囲を縮小する方向を色相毎に変更することによって、視覚的に自然に見える画像の出力を図っている。
【特許文献１】特開２０００−３２４３５０号公報
【発明の開示】
【発明が解決しようとする課題】
【０００４】
ここで、出力機器（例えば、表示装置）の色再現範囲が入力機器（例えば、撮像装置）の色再現範囲よりも広いケースについて考える。このようなケースでは、入力機器から入力される映像入力信号に従って出力機器が画像を表示すると、画像の色座標が実物の色座標よりも広がってしまう。なお、色座標は、彩度及び色相によって規定された座標である。
【０００５】
一方で、画像の色座標を実物の色座標に近づけるために、上述した技術を応用することも考えられる。しかしながら、出力機器の色再現範囲を単に縮小すると、出力機器（表示装置）の色再現範囲が有効に利用されない。
【０００６】
そこで、本発明は、上述した課題を解決するためになされたものであり、画像の色座標と実物の色座標との違いを或る程度抑制しながら、表示装置の色再現範囲を有効に利用することを可能とする信号処理装置及び投写型映像表示装置を提供することを目的とする。
【課題を解決するための手段】
【０００７】
第１の特徴に係る信号処理装置は、映像入力信号を映像出力信号に変換して、前記映像出力信号を表示装置に出力する。信号処理装置は、前記表示装置の色再現範囲に応じて、前記映像入力信号の色座標を調整する色座標調整処理を行う色座標調整部（色座標調整部２６０）と、前記映像入力信号の明度成分を調整する明度調整処理を行う明度調整部（明度調整部２３０）と、前記色座標調整処理及び前記明度調整処理の結果を用いて、前記映像出力信号を出力する出力信号出力部（素子制御部２７０）と、第１色相（例えば、赤の色相又は緑の色相）を有する画素の値及び第２色相（例えば、青の色相）を有する画素の値に基づいて、前記色座標調整処理で用いる色座標調整係数及び前記明度調整処理で用いる明度調整係数を制御する制御部（係数制御部２２０）とを備える。前記制御部は、前記第１色相を有する画素の彩度が高い場合に、前記映像入力信号の明度成分が小さくなるように前記明度調整係数を制御する。前記制御部は、前記第２色相を有する画素の彩度が高い場合に、前記映像入力信号の明度成分が大きくなるように前記明度調整係数を制御する。前記制御部は、前記色座標調整係数を増大した場合に、前記明度調整係数を減少する。
【０００８】
第１の特徴において、前記制御部は、前記色座標調整係数及び前記明度調整係数を所定単位毎に補正する。
【０００９】
第１の特徴において、信号処理装置は、前記映像入力信号の彩度成分を調整する彩度調整処理を行う彩度調整部（彩度調整部２４０）をさらに備える。前記制御部は、前記第１色相を有する画素の値及び前記第２色相を有する画素の値に基づいて、前記彩度調整処理で用いる彩度調整係数を制御する。前記制御部は、前記色座標調整係数を増大した場合に、前記彩度調整係数を減少する。
【００１０】
第１の特徴において、前記制御部は、第３色相（例えば、肌色の色相）を有する画素の値に基づいて、前記色座標調整係数及び前記明度調整係数を制御する。
【００１１】
第１の特徴において、前記第１色相は、赤又は緑に対応する色相である。前記第２色相は、青に対応する色相である。
【００１２】
第２の特徴に係る投写型映像表示装置は、第１の特徴に係る信号処理装置（信号処理装置２００）と、前記信号処理装置から出力された映像出力信号に応じて画像を表示する表示装置（液晶パネル３０）と、前記表示装置によって表示された画像を投写する投写手段（投写レンズユニット５０）とを備える。
【発明の効果】
【００１３】
本発明によれば、画像の色座標と実物の色座標との違いを或る程度抑制しながら、表示装置の色再現範囲を有効に利用することを可能とする信号処理装置及び投写型映像表示装置を提供することができる。
【発明を実施するための最良の形態】
【００１４】
以下において、本発明の実施形態に係る投写型映像表示装置について、図面を参照しながら説明する。なお、以下の図面の記載において、同一又は類似の部分には、同一又は類似の符号を付している。
【００１５】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１６】
［実施形態の概要］
実施形態に係る信号処理装置は、映像入力信号を映像出力信号に変換して、映像出力信号を表示装置に出力する。信号処理装置は、表示装置の色再現範囲に応じて、映像入力信号の色座標を調整する色座標調整処理を行う色座標調整部と、映像入力信号の明度成分を調整する明度調整処理を行う明度調整部と、色座標調整処理及び明度調整処理の結果を用いて、映像出力信号を出力する出力信号出力部と、第１色相を有する画素の値及び第２色相を有する画素の値に基づいて、色座標調整処理で用いる色座標調整係数及び明度調整処理で用いる明度調整係数を制御する制御部とを備える。
【００１７】
制御部は、第１色相を有する画素の彩度が高い場合に、映像入力信号の明度成分が小さくなるように明度調整係数を制御する。制御部は、第２色相を有する画素の彩度が高い場合に、映像入力信号の明度成分が大きくなるように明度調整係数を制御する。制御部は、色座標調整係数を増大した場合に、明度調整係数を減少する。
【００１８】
実施形態によれば、第１色相（例えば、赤や緑の色相）を有する画素の彩度が高い場合に、映像入力信号の明度成分を小さくすることによって、“ぎらつき”を抑制することができる。一方で、第２色相（例えば、青の色相）を有する画素の彩度が高い場合に、映像入力信号の明度成分を大きくすることによって、意図的に“色ずれ”を起こして、“ぎらつき”を抑制することができる。
【００１９】
なお、実施形態に係る“明度”は、明るさを示す用語である。従って、“明度”は、輝度を含む広い概念を示す用語として理解すべきである。
【００２０】
また、明度調整処理は、映像入力信号の“明度成分”を調整する処理である。“明度”と同様に、“明度成分”は、明るさの成分を示す用語である。従って、“明度成分”は、輝度成分を含む広い概念を示す用語として理解すべきである。さらには、“明度成分”は、映像入力信号（赤入力信号Ｒｉｎ、緑入力信号Ｇｉｎ及び青入力信号Ｂｉｎ）の最大値であってもよい。
【００２１】
［第１実施形態］
（投写型映像表示装置の構成）
以下において、第１実施形態に係る投写型映像表示装置の構成について、図面を参照しながら説明する。図１は、第１実施形態に係る投写型映像表示装置１００の構成を示す図である。
【００２２】
図１に示すように、投写型映像表示装置は、複数の光源ユニット１０と、複数のフライアイレンズユニット２０と、複数の液晶パネル３０と、クロスダイクロイックプリズム４０と、投写レンズユニット５０とを有する。
【００２３】
複数の光源ユニット１０は、光源ユニット１０Ｒ、光源ユニット１０Ｇ及び光源ユニット１０Ｂである。各光源ユニット１０は、複数の固体光源によって構成されたユニットである。固体光源は、例えば、ＬＤ（Ｌａｓｅｒ  Ｄｉｏｄｅ）やＬＥＤ（Ｌｉｇｈｔ  Ｅｍｉｔｔｉｎｇ  Ｄｉｏｄｅ）である。なお、光源ユニット１０Ｒは、赤成分光を発する複数の固体光源（１０−１Ｒ〜１０−６Ｒ）によって構成される。光源ユニット１０Ｇは、緑成分光を発する複数の固体光源（１０−１Ｇ〜１０−６Ｇ）によって構成される。光源ユニット１０Ｂは、青成分光を発する複数の固体光源（１０−１Ｂ〜１０−６Ｂ）によって構成される。
【００２４】
複数のフライアイレンズユニット２０は、フライアイレンズユニット２０Ｒ、フライアイレンズユニット２０Ｇ及びフライアイレンズユニット２０Ｂである。各フライアイレンズユニット２０は、フライアイレンズ２１及びフライアイレンズ２２によって構成される。フライアイレンズ２１及びフライアイレンズ２２は、それぞれ、複数の微少レンズによって構成される。各微少レンズは、各光源ユニット１０が発する光が各液晶パネル３０の全面に照射されるように、各光源ユニット１０が発する光を集光する。
【００２５】
複数の液晶パネル３０は、液晶パネル３０Ｒ、液晶パネル３０Ｇ及び液晶パネル３０Ｂである。液晶パネル３０Ｒは、赤成分光の偏向方向を回転させることによって赤成分光を変調する。液晶パネル３０Ｒの光入射面側には、一の偏向方向（例えば、Ｐ偏向）を有する光を透過して、他の偏向方向（例えば、Ｓ偏向）を有する光を遮光する入射側偏向板３１Ｒが設けられている。液晶パネル３０Ｒの光出射面側には、一の偏向方向（例えば、Ｐ偏向）を有する光を遮光して、他の偏向方向（例えば、Ｓ偏向）を有する光を透過する出射側偏向板３２Ｒが設けられている。
【００２６】
同様に、液晶パネル３０Ｇ及び液晶パネル３０Ｂは、それぞれ、緑成分光及び青成分光の偏向方向を回転させることによって緑成分光及び青成分光を変調する。液晶パネル３０Ｇの光入射面側には、入射側偏向板３１Ｇが設けられており、液晶パネル３０Ｇの光出射面側には、出射側偏向板３２Ｇが設けられている。液晶パネル３０Ｂの光入射面側には、入射側偏向板３１Ｂが設けられており、液晶パネル３０Ｂの光出射面側には、出射側偏向板３２Ｂが設けられている。
【００２７】
クロスダイクロイックプリズム４０は、液晶パネル３０Ｒ、液晶パネル３０Ｇ及び液晶パネル３０Ｂから出射された光を合成する。クロスダイクロイックプリズム４０は、投写レンズユニット５０側に合成光を出射する。
【００２８】
投写レンズユニット５０は、クロスダイクロイックプリズム４０から出射された合成光（映像光）をスクリーン上などに投写する。
【００２９】
（色相及び彩度）
以下において、第１実施形態に係る色相及び彩度について、図面を参照しながら説明する。図２は、色相及び彩度を示す一般的な色再現範囲を示す色度図である。図２では、ポイントＷは、白を示すポイントである。ポイントＲ、ポイントＧ及びポイントＢは、それぞれ、赤、緑及び青を示すポイントである。
【００３０】
図２に示すように、色相は、ポイントＷと色再現範囲の外周とによって形成される角度によって表される。彩度は、ポイントＷで最も低い値であり、ポイントＷから離れるに従って高い値となる。
【００３１】
ところで、第１実施形態に係る投写型映像表示装置１００には、入力機器（例えば、撮像装置など）から映像入力信号が入力される。
【００３２】
液晶パネル３０の色再現範囲は、各光源ユニット１０から出射される光に依存する。すなわち、各光源ユニット１０から出射される光の色純度が高いほど、液晶パネル３０の色再現範囲が広い。一方で、入力機器の色再現範囲は、入力機器に設けられた撮像素子などの精度に依存する。
【００３３】
第１実施形態では、図３に示すように、液晶パネル３０の色再現範囲（Ｒ１、Ｇ１、Ｂ１）が入力機器の色再現範囲（Ｒ２、Ｇ２、Ｂ２）よりも広いケースについて考える。
【００３４】
（投写型映像表示装置の機能）
以下において、第１実施形態に係る投写型映像表示装置の機能について、図面を参照しながら説明する。図４は、第１実施形態に係る投写型映像表示装置１００（信号処理装置２００）の機能を示すブロック図である。
【００３５】
信号処理装置２００は、映像入力信号を映像出力信号に変換する。映像入力信号は、赤入力信号Ｒｉｎ、緑入力信号Ｇｉｎ及び青入力信号Ｂｉｎを含む。映像出力信号は、赤出力信号Ｒｏｕｔ、緑出力信号Ｇｏｕｔ及び青出力信号Ｂｏｕｔを含む。
【００３６】
なお、赤入力信号Ｒｉｎ、緑入力信号Ｇｉｎ及び青入力信号Ｂｉｎは、それぞれ、最小画素値（例えば、“０”）〜最大画素値（例えば、“２５５”）の範囲の値である。同様に、赤入力信号Ｒｉｎ、緑入力信号Ｇｉｎ及び青入力信号Ｂｉｎは、それぞれ、最小画素値（例えば、“０”）〜最大画素値（例えば、“２５５”）の範囲の値である。
【００３７】
図４に示すように、信号処理装置２００は、ＨＳＶ変換処理部２１０と、係数制御部２２０と、明度調整部２３０と、彩度調整部２４０と、ＨＳＶ逆変換処理部２５０と、色座標調整部２６０と、素子制御部２７０とを有する。
【００３８】
ＨＳＶ変換処理部２１０は、各画素の入力彩度成分Ｓｉｎ、入力色相成分Ｈｉｎ及び入力明度成分Ｖｉｎを算出する。具体的には、ＨＳＶ変換処理部２１０は、赤入力信号Ｒｉｎ、緑入力信号Ｇｉｎ及び青入力信号Ｂｉｎに基づいて、以下の式に従って、各画素の入力色相成分Ｈｉｎ、入力彩度成分Ｓｉｎ及び入力明度成分Ｖｉｎを算出する。
【数１】
2010157900.tif 000003
【００３９】
係数制御部２２０は、各種係数を制御する。第１に、係数制御部２２０は、色座標調整処理に用いる係数（色座標調整係数）を算出する。第２に、係数制御部２２０は、明度調整処理に用いる係数（明度調整係数）を算出する。第３に、係数制御部２２０は、彩度調整処理に用いる係数（彩度調整係数）を算出する。
【００４０】
第１に、色座標調整係数（Ｒｏｔ＿Ｒ、Ｒｏｔ＿Ｇ、Ｒｏｔ＿Ｂ）について説明する。色座標調整係数は、画像（フレーム）毎に算出される係数である。色座標調整係数は、赤色座標調整係数Ｒｏｔ＿Ｒ、緑色座標調整係数Ｒｏｔ＿Ｇ及び青色座標調整係数Ｒｏｔ＿Ｂを含む。
【００４１】
赤色座標調整係数Ｒｏｔ＿Ｒは、対象色相を有する画素の色相平均値及び色相分散値に基づいて算出される係数である。赤色座標調整係数Ｒｏｔ＿Ｒの算出に用いる対象色相は、赤の色相である。なお、赤の色相とは、例えば、赤の中心色相から±３０°の範囲である。赤色座標調整係数Ｒｏｔ＿Ｒは、ＭＩＮ（≧０）からＭＡＸ（≦１）の範囲である。
【００４２】
緑色座標調整係数Ｒｏｔ＿Ｇは、対象色相を有する画素の色相平均値及び色相分散値に基づいて算出される係数である。緑色座標調整係数Ｒｏｔ＿Ｇの算出に用いる対象色相は、緑の色相である。なお、緑の色相とは、例えば、緑の中心色相から±３０°の範囲である。緑色座標調整係数Ｒｏｔ＿Ｇは、ＭＩＮ（≧０）からＭＡＸ（≦１）の範囲である。
【００４３】
青色座標調整係数Ｒｏｔ＿Ｂは、対象色相を有する画素の色相平均値及び色相分散値に基づいて算出される係数である。青色座標調整係数Ｒｏｔ＿Ｂの算出に用いる対象色相は、青の色相である。なお、青の色相とは、例えば、青の中心色相から±３０°の範囲である。青色座標調整係数Ｒｏｔ＿Ｂは、ＭＩＮ（≧０）からＭＡＸ（≦１）の範囲である。
【００４４】
なお、赤色座標調整係数Ｒｏｔ＿Ｒ、緑色座標調整係数Ｒｏｔ＿Ｇ及び青色座標調整係数Ｒｏｔ＿Ｂは、複数の画素によって構成される画像（フレーム）毎に算出される。
【００４５】
第１実施形態では、赤の色相及び緑の色相は、第１色相を構成することに留意すべきである。また、青の色相は、第２の色相を構成することに留意すべきである。
【００４６】
ここで、赤色座標調整係数Ｒｏｔ＿Ｒ（緑色座標調整係数Ｒｏｔ＿Ｇ又は青色座標調整係数Ｒｏｔ＿Ｂ）の算出方法について、図５及び図６を参照しながら説明する。ここでは、赤色座標調整係数Ｒｏｔ＿Ｒの算出方法について例示する。緑色座標調整係数Ｒｏｔ＿Ｇ又は青色座標調整係数Ｒｏｔ＿Ｂの算出方法は、赤色座標調整係数Ｒｏｔ＿Ｒの算出方法と同様である。
【００４７】
具体的には、係数制御部２２０は、図５に示すように、色相平均値に基づいて、パラメータｍａｘ１を算出する。続いて、係数制御部２２０は、図６に示すように、色相分散値に基づいて、赤色座標調整係数Ｒｏｔ＿Ｒを算出する。なお、赤色座標調整係数Ｒｏｔ＿Ｒの上限は、パラメータｍａｘ１によって制限される。
【００４８】
ここで、図５に示すように、色相平均値が中心色相に近いほど、パラメータｍａｘ１の値が大きい。また、図６に示すように、色相分散値が小さいほど、赤色座標調整係数Ｒｏｔ＿Ｒの値が大きい。すなわち、色相平均値が中心色相に近いほど、又は、色相分散値が小さいほど、赤色座標調整係数Ｒｏｔ＿Ｒの値が大きい。
【００４９】
第２に、明度調整係数（α（ｎ））について説明する。明度調整係数（α（ｎ））は、以下の式に従って算出される。
【数２】
2010157900.tif 000004
【００５０】
（１）赤明度調整係数Ｒ＿ＬＵＭ、緑明度調整係数Ｇ＿ＬＵＭ及び青明度調整係数Ｂ＿ＬＵＭについて説明する。
【００５１】
ここで、赤明度調整係数Ｒ＿ＬＵＭは、赤色座標調整係数Ｒｏｔ＿Ｒに基づいて算出される係数である。赤色座標調整係数Ｒｏｔ＿Ｒの値が大きいほど、赤明度調整係数Ｒ＿ＬＵＭの値が小さい。赤明度調整係数Ｒ＿ＬＵＭは、ＭＩＮ（≧０）からＭＡＸ（≦１）の範囲である。なお、明度調整係数の算出において、赤明度調整係数Ｒ＿ＬＵＭには“−”の符号が付されることに留意すべきである。
【００５２】
緑明度調整係数Ｇ＿ＬＵＭは、緑色座標調整係数Ｒｏｔ＿Ｇに基づいて算出される係数である。緑色座標調整係数Ｒｏｔ＿Ｇの値が大きいほど、緑明度調整係数Ｇ＿ＬＵＭの値が小さい。緑明度調整係数Ｇ＿ＬＵＭは、ＭＩＮ（≧０）からＭＡＸ（≦１）の範囲である。なお、明度調整係数の算出において、緑明度調整係数Ｇ＿ＬＵＭには“−”の符号が付されることに留意すべきである。
【００５３】
青明度調整係数Ｂ＿ＬＵＭは、青色座標調整係数Ｒｏｔ＿Ｂに基づいて算出される係数である。青色座標調整係数Ｒｏｔ＿Ｂの値が大きいほど、青明度調整係数Ｂ＿ＬＵＭの値が小さい。青明度調整係数Ｂ＿ＬＵＭは、ＭＩＮ（≧０）からＭＡＸ（≦１）の範囲である。なお、明度調整係数の算出において、青明度調整係数Ｂ＿ＬＵＭには“＋”の符号が付されることに留意すべきである。
【００５４】
なお、赤明度調整係数Ｒ＿ＬＵＭ、緑明度調整係数Ｇ＿ＬＵＭ及び青明度調整係数Ｂ＿ＬＵＭは、赤色座標調整係数Ｒｏｔ＿Ｒ、緑色座標調整係数Ｒｏｔ＿Ｇ及び青色座標調整係数Ｒｏｔ＿Ｂと同様に、複数の画素によって構成される画像（フレーム）毎に算出される。
【００５５】
ここで、赤明度調整係数Ｒ＿ＬＵＭ（緑明度調整係数Ｇ＿ＬＵＭ又は青明度調整係数Ｂ＿ＬＵＭ）の算出方法について、図７を参照しながら説明する。ここでは、赤明度調整係数Ｒ＿ＬＵＭの算出方法について例示する。緑明度調整係数Ｇ＿ＬＵＭ又は青明度調整係数Ｂ＿ＬＵＭの算出方法は、赤明度調整係数Ｒ＿ＬＵＭの算出方法と同様である。
【００５６】
具体的には、係数制御部２２０は、図７に示すように、赤色座標調整係数Ｒｏｔ＿Ｒに基づいて、赤明度調整係数Ｒ＿ＬＵＭを算出する。上述したように、色相平均値が中心色相に近いほど、又は、色相分散値が小さいほど、赤色座標調整係数Ｒｏｔ＿Ｒの値が大きい。従って、色相平均値が中心色相に近いほど、又は、色相分散値が小さいほど、赤明度調整係数Ｒ＿ＬＵＭの値が小さい。
【００５７】
（２）赤画素補正係数ΔＲ（ｎ）、緑画素補正係数ΔＧ（ｎ）及び青画素補正係数ΔＢ（ｎ）について説明する。なお、後述するように、対象画素（ｎ）の色相が中心色相に近いほど、又は、対象画素（ｎ）の彩度が高いほど、赤画素補正係数ΔＲ（ｎ）、緑画素補正係数ΔＧ（ｎ）及び青画素補正係数ΔＢ（ｎ）の値が大きい（図８及び図９を参照）。
【００５８】
赤画素補正係数ΔＲ（ｎ）は、対象画素（ｎ）の色相及び彩度に基づいて算出される係数である。なお、対象画素（ｎ）の色相が赤の色相に含まれない場合には、赤画素補正係数ΔＲ（ｎ）の値は最小値（例えば、“０”）である。なお、赤の色相とは、例えば、赤の中心色相から±３０°の範囲である。赤画素補正係数ΔＲ（ｎ）は、ＭＩＮ（≧０）からＭＡＸ（≦１）の範囲である。
【００５９】
緑画素補正係数ΔＧ（ｎ）は、対象画素（ｎ）の色相及び彩度に基づいて算出される係数である。なお、対象画素（ｎ）の色相が緑の色相に含まれない場合には、緑画素補正係数ΔＧ（ｎ）の値は最小値（例えば、“０”）である。なお、緑の色相とは、例えば、緑の中心色相から±３０°の範囲である。緑画素補正係数ΔＧ（ｎ）は、ＭＩＮ（≧０）からＭＡＸ（≦１）の範囲である。
【００６０】
青画素補正係数ΔＢ（ｎ）は、対象画素（ｎ）の色相及び彩度に基づいて算出される係数である。なお、対象画素（ｎ）の色相が青の色相に含まれない場合には、青画素補正係数ΔＢ（ｎ）の値は最小値（例えば、“０”）である。なお、青の色相とは、例えば、青の中心色相から±３０°の範囲である。青画素補正係数ΔＢ（ｎ）は、ＭＩＮ（≧０）からＭＡＸ（≦１）の範囲である。
【００６１】
なお、赤画素補正係数ΔＲ（ｎ）、緑画素補正係数ΔＧ（ｎ）及び青画素補正係数ΔＢ（ｎ）は、画像（フレーム）を構成する複数の画素毎に算出される。従って、明度調整係数（α（ｎ））は、画像（フレーム）を構成する複数の画素毎に補正される。
【００６２】
ここで、赤画素補正係数ΔＲ（ｎ）（緑画素補正係数ΔＧ（ｎ）又は青画素補正係数ΔＢ（ｎ））の算出方法について、図８及び図９を参照しながら説明する。ここでは、赤画素補正係数ΔＲ（ｎ）の算出方法について例示する。緑画素補正係数ΔＧ（ｎ）又は青画素補正係数ΔＢ（ｎ）の算出方法は、赤画素補正係数ΔＲ（ｎ）の算出方法と同様である。
【００６３】
具体的には、係数制御部２２０は、図８に示すように、対象画素（ｎ）の色相に基づいて、色相係数ΔＲ＿Ｈ（ｎ）を算出する。続いて、係数制御部２２０は、図９に示すように、対象画素（ｎ）の彩度に基づいて、彩度係数ΔＲ＿Ｓ（ｎ）を算出する。最終的に、係数制御部２２０は、色相係数ΔＲ＿Ｈ（ｎ）及び彩度係数ΔＲ＿Ｓ（ｎ）に基づいて、赤画素補正係数ΔＲ（ｎ）を算出する。例えば、係数制御部２２０は、以下の式に従って、赤画素補正係数ΔＲ（ｎ）を算出する。
【数３】
2010157900.tif 000005
【００６４】
ここで、図８に示すように、対象画素（ｎ）の色相が中心色相に近いほど、色相係数ΔＲ＿Ｈ（ｎ）の値が大きい。また、図９に示すように、対象画素（ｎ）の彩度が高いほど、彩度係数ΔＲ＿Ｓ（ｎ）の値が大きい。すなわち、対象画素（ｎ）の色相が中心色相に近いほど、又は、対象画素（ｎ）の彩度が高いほど、赤画素補正係数ΔＲ（ｎ）の値が大きい。
【００６５】
第３に、彩度調整係数（β（ｎ））について説明する。彩度調整係数（β（ｎ））は、以下の式に従って算出される。
【数４】
2010157900.tif 000006
【００６６】
（１）赤彩度調整係数Ｒ＿ＳＡＴ、緑彩度調整係数Ｇ＿ＳＡＴ及び青彩度調整係数Ｂ＿ＳＡＴについて説明する。
【００６７】
ここで、赤彩度調整係数Ｒ＿ＳＡＴは、赤色座標調整係数Ｒｏｔ＿Ｒに基づいて算出される係数である。赤色座標調整係数Ｒｏｔ＿Ｒの値が大きいほど、赤彩度調整係数Ｒ＿ＳＡＴの値が小さい。赤彩度調整係数Ｒ＿ＳＡＴは、ＭＩＮ（≧０）からＭＡＸ（≦１）の範囲である。なお、彩度調整係数の算出において、赤彩度調整係数Ｒ＿ＳＡＴには“＋”の符号が付されることに留意すべきである。
【００６８】
緑彩度調整係数Ｇ＿ＳＡＴは、緑色座標調整係数Ｒｏｔ＿Ｇに基づいて算出される係数である。緑色座標調整係数Ｒｏｔ＿Ｇの値が大きいほど、緑彩度調整係数Ｇ＿ＳＡＴの値が小さい。緑彩度調整係数Ｇ＿ＳＡＴは、ＭＩＮ（≧０）からＭＡＸ（≦１）の範囲である。なお、彩度調整係数の算出において、緑彩度調整係数Ｇ＿ＳＡＴには“＋”の符号が付されることに留意すべきである。
【００６９】
青彩度調整係数Ｂ＿ＳＡＴは、青色座標調整係数Ｒｏｔ＿Ｂに基づいて算出される係数である。青色座標調整係数Ｒｏｔ＿Ｂの値が大きいほど、青彩度調整係数Ｂ＿ＳＡＴの値が小さい。青彩度調整係数Ｂ＿ＳＡＴは、ＭＩＮ（≧０）からＭＡＸ（≦１）の範囲である。なお、彩度調整係数の算出において、青彩度調整係数Ｂ＿ＳＡＴには“＋”の符号が付されることに留意すべきである。
【００７０】
なお、赤彩度調整係数Ｒ＿ＳＡＴ、緑彩度調整係数Ｇ＿ＳＡＴ及び青彩度調整係数Ｂ＿ＳＡＴは、赤色座標調整係数Ｒｏｔ＿Ｒ、緑色座標調整係数Ｒｏｔ＿Ｇ及び青色座標調整係数Ｒｏｔ＿Ｂと同様に、複数の画素によって構成される画像（フレーム）毎に算出される。
【００７１】
ここで、赤彩度調整係数Ｒ＿ＳＡＴ（緑彩度調整係数Ｇ＿ＳＡＴ又は青彩度調整係数Ｂ＿ＳＡＴ）の算出方法について、図１０を参照しながら説明する。ここでは、赤彩度調整係数Ｒ＿ＳＡＴの算出方法について例示する。緑彩度調整係数Ｇ＿ＳＡＴ又は青彩度調整係数Ｂ＿ＳＡＴの算出方法は、赤彩度調整係数Ｒ＿ＳＡＴの算出方法と同様である。
【００７２】
具体的には、係数制御部２２０は、図１０に示すように、赤色座標調整係数Ｒｏｔ＿Ｒに基づいて、赤彩度調整係数Ｒ＿ＳＡＴを算出する。上述したように、色相平均値が中心色相に近いほど、又は、色相分散値が小さいほど、赤色座標調整係数Ｒｏｔ＿Ｒの値が大きい。従って、色相平均値が中心色相に近いほど、又は、色相分散値が小さいほど、赤彩度調整係数Ｒ＿ＳＡＴの値が小さい。
【００７３】
（２）赤画素補正係数ΔＲ（ｎ）、緑画素補正係数ΔＧ（ｎ）及び青画素補正係数ΔＢ（ｎ）については、明度調整係数の算出で説明した内容と同様である。従って、これらの係数の説明については省略する。
【００７４】
上述したように、赤画素補正係数ΔＲ（ｎ）、緑画素補正係数ΔＧ（ｎ）及び青画素補正係数ΔＢ（ｎ）は、画像（フレーム）を構成する複数の画素毎に算出される。従って、彩度調整係数（β（ｎ））は、画像（フレーム）を構成する複数の画素毎に補正される。
【００７５】
明度調整部２３０は、映像入力信号の明度成分を調整する明度調整処理を行う。具体的には、明度調整部２３０は、明度調整係数（α（ｎ））に基づいて、入力明度成分Ｖｉｎを画素毎に調整する。具体的には、明度調整部２３０は、以下の式に従って、入力明度成分Ｖｉｎを調整して、出力明度成分Ｖｏｕｔを算出する。
【数５】
2010157900.tif 000007
【００７６】
彩度調整部２４０は、映像入力信号の彩度成分を調整する彩度調整処理を行う。具体的には、彩度調整部２４０は、彩度調整係数（β（ｎ））に基づいて、入力彩度成分Ｓｉｎを画素毎に調整する。具体的には、彩度調整部２４０は、以下の式に従って、入力彩度成分Ｓｉｎを調整して、出力彩度成分Ｓｏｕｔを算出する。
【数６】
2010157900.tif 000008
【００７７】
ＨＳＶ逆変換処理部２５０は、各画素の赤入力信号Ｒ１in、緑入力信号Ｇ１in、青入力信号Ｂ１inを算出する。具体的には、ＨＳＶ逆変換処理部２５０は、入力色相成分Ｈｉｎ、出力彩度成分Ｓｏｕｔ及び出力明度成分Ｖｏｕｔに基づいて、以下の式に従って、各画素の赤入力信号Ｒ１in、緑入力信号Ｇ１in及び青入力信号Ｂ１inを算出する。
【数７】
2010157900.tif 000009
【００７８】
色座標調整部２６０は、液晶パネル３０の色再現範囲に応じて、映像入力信号の色座標を調整する色座標調整処理を行う。具体的には、色座標調整部２６０は、色座標調整係数に基づいて、映像出力信号を算出する。例えば、色座標調整部２６０は、以下の式に従って、赤出力信号Ｒｏｕｔ、緑出力信号Ｇｏｕｔ及び青出力信号Ｂｏｕｔを算出する。
【数８】
2010157900.tif 000010
【００７９】
なお、パラメータａ〜ｉは、液晶パネル３０の色再現範囲に応じて定められる定数である。
【００８０】
素子制御部２７０は、色座標調整部２６０によって算出された映像出力信号に基づいて、各液晶パネル３０を制御する。
【００８１】
（作用及び効果）
第１実施形態では、第１色相（例えば、赤や緑の色相）を有する画素の彩度が高いケースでは、係数制御部２２０は、赤画素補正係数ΔＲ（ｎ）及び緑画素補正係数ΔＧ（ｎ）として大きな値を設定する。明度調整係数（α（ｎ））の算出において、赤画素補正係数ΔＲ（ｎ）及び緑画素補正係数ΔＧ（ｎ）の符号は“−”である。従って、明度調整係数（α（ｎ））が小さくなり、映像入力信号の明度成分（入力明度成分Ｖｉｎ）が小さくなる。これによって、第１色相（例えば、赤や緑の色相）で生じる“ぎらつき”を抑制することができる。
【００８２】
第１実施形態では、第２色相（例えば、青の色相）を有する画素の彩度が高いケースでは、係数制御部２２０は、青画素補正係数ΔＢ（ｎ）として大きな値を設定する。青画素補正係数ΔＢ（ｎ）の符号は“＋”である。従って、明度調整係数（α（ｎ））が大きくなり、映像入力信号の明度成分（入力明度成分Ｖｉｎ）が大きくなる。これによって、意図的に“色ずれ”を起こして、第２色相（例えば、青の色相）で生じる“ぎらつき”を抑制することができる。
【００８３】
第１実施形態では、色相平均値が中心色相から離れているほど、又は、色相分散値が大きいほど、色座標調整係数（赤色座標調整係数Ｒｏｔ＿Ｒ、緑色座標調整係数Ｒｏｔ＿Ｇ又は青色座標調整係数Ｒｏｔ＿Ｂ）が小さい。すなわち、色座標調整部２６０による色座標調整処理において、色再現範囲の縮小幅が小さくなる。従って、ぎらつき等が生じにくい画像において、液晶パネル３０の色再現範囲を有効に利用することができる。
【００８４】
第１実施形態では、赤明度調整係数Ｒ＿ＬＵＭは、赤色座標調整係数Ｒｏｔ＿Ｒとトレードオフの関係を有する。緑明度調整係数Ｇ＿ＬＵＭは、緑色座標調整係数Ｒｏｔ＿Ｇとトレードオフの関係を有する。青明度調整係数Ｂ＿ＬＵＭは、青色座標調整係数Ｒｏｔ＿Ｂとトレードオフの関係を有する。すなわち、赤明度調整係数Ｒ＿ＬＵＭ、緑明度調整係数Ｇ＿ＬＵＭ及び青明度調整係数Ｂ＿ＬＵＭに基づいて算出される明度調整係数は、色座標調整係数（赤色座標調整係数Ｒｏｔ＿Ｒ、緑色座標調整係数Ｒｏｔ＿Ｇ又は青色座標調整係数Ｒｏｔ＿Ｂ）とトレードオフの関係を有する。
【００８５】
従って、液晶パネル３０の色再現範囲の色再現範囲の有効利用と、高彩度の画素によって生じる“ぎらつき”の抑制とを両立することができる。
【００８６】
第１実施形態では、赤彩度調整係数Ｒ＿ＳＡＴは、赤色座標調整係数Ｒｏｔ＿Ｒとトレードオフの関係を有する。緑彩度調整係数Ｇ＿ＳＡＴは、緑色座標調整係数Ｒｏｔ＿Ｇとトレードオフの関係を有する。青彩度調整係数Ｂ＿ＳＡＴは、青色座標調整係数Ｒｏｔ＿Ｂとトレードオフの関係を有する。すなわち、赤彩度調整係数Ｒ＿ＳＡＴ、緑彩度調整係数Ｇ＿ＳＡＴ及び青彩度調整係数Ｂ＿ＳＡＴに基づいて算出される彩度調整係数は、色座標調整係数（赤色座標調整係数Ｒｏｔ＿Ｒ、緑色座標調整係数Ｒｏｔ＿Ｇ又は青色座標調整係数Ｒｏｔ＿Ｂ）とトレードオフの関係を有する。
【００８７】
従って、液晶パネル３０の色再現範囲の色再現範囲の有効利用と、高彩度の画素によって生じる“ぎらつき”の抑制とを両立することができる。
【００８８】
［変更例１］
以下において、第１実施形態の変更例１について説明する。以下においては、第１実施形態との相違点について主として説明する。
【００８９】
具体的には、第１実施形態では、各パラメータは、赤、緑及び青の色相を対象として設けられている。これに対して、変更例１では、各パラメータは、赤、緑及び青の色相に加えて、他の色相（例えば、肌色の色相）を対象として設けられている。変更例１では、肌色の色相が第３色相を構成する。
【００９０】
（肌色色座標調整係数）
以下において、変更例１で追加される肌色色座標調整係数Ｒｏｔ＿Ｓについて説明する。具体的には、肌色色座標調整係数Ｒｏｔ＿Ｓは、対象色相を有する画素の色相平均値及び色相分散値に基づいて算出される係数である。肌色色座標調整係数Ｒｏｔ＿Ｓの算出に用いる対象色相は、肌色の色相である。なお、肌色の色相とは、例えば、肌色の中心色相から±３０°の範囲である。肌色色座標調整係数Ｒｏｔ＿Ｓは、ＭＩＮ（≧０）からＭＡＸ（≦１）の範囲である。
【００９１】
なお、肌色色座標調整係数Ｒｏｔ＿Ｓの算出方法は、赤色座標調整係数Ｒｏｔ＿Ｒと同様である。
【００９２】
（肌色明度調整係数）
以下において、変更例１で追加される肌色明度調整係数Ｓ＿ＬＵＭについて説明する。具体的には、肌色明度調整係数Ｓ＿ＬＵＭは、肌色色座標調整係数Ｒｏｔ＿Ｓに基づいて算出される係数である。肌色色座標調整係数Ｒｏｔ＿Ｓの値が大きいほど、肌色明度調整係数Ｓ＿ＬＵＭの値が小さい。肌色明度調整係数Ｓ＿ＬＵＭは、ＭＩＮ（≧０）からＭＡＸ（≦１）の範囲である。なお、明度調整係数の算出において、肌色明度調整係数Ｓ＿ＬＵＭには“＋”の符号が付されることに留意すべきである。
【００９３】
なお、肌色明度調整係数Ｓ＿ＬＵＭの算出方法は、赤明度調整係数Ｒ＿ＬＵＭと同様である。
【００９４】
（肌色彩度調整係数）
以下において、変更例１で追加される肌色彩度調整係数Ｓ＿ＳＡＴについて説明する。具体的には、肌色彩度調整係数Ｓ＿ＳＡＴは、肌色色座標調整係数Ｒｏｔ＿Ｓに基づいて算出される係数である。肌色色座標調整係数Ｒｏｔ＿Ｓの値が大きいほど、肌色彩度調整係数Ｓ＿ＳＡＴの値が小さい。肌色彩度調整係数Ｓ＿ＳＡＴは、ＭＩＮ（≧０）からＭＡＸ（≦１）の範囲である。なお、彩度調整係数の算出において、肌色彩度調整係数Ｓ＿ＳＡＴには“＋”の符号が付されることに留意すべきである。
【００９５】
なお、肌色彩度調整係数Ｓ＿ＳＡＴの算出方法は、赤彩度調整係数Ｒ＿ＳＡＴと同様である。
【００９６】
（肌色画素補正係数）
以下において、変更例１で追加される肌色画素補正係数ΔＳについて説明する。具体的には、肌色画素補正係数ΔＳは、対象画素（ｎ）の色相及び彩度に基づいて算出される係数である。なお、対象画素（ｎ）の色相が肌色の色相に含まれない場合には、肌色画素補正係数ΔＳの値は最小値（例えば、“０”）である。なお、肌色の色相とは、例えば、赤の中心色相から±３０°の範囲である。肌色画素補正係数ΔＳは、ＭＩＮ（≧０）からＭＡＸ（≦１）の範囲である。
【００９７】
なお、肌色画素補正係数ΔＳの算出方法は、赤画素補正係数ΔＲ（ｎ）と同様である。
【００９８】
（各種演算方法）
以下において、パラメータの追加に伴う演算方法の変更について説明する。主要な演算方法は、第１実施形態と同様であるため、詳細な説明については省略する。
【００９９】
明度調整係数（α（ｎ））は、以下の式に従って算出される。
【数９】
2010157900.tif 000011
【０１００】
彩度調整係数（β（ｎ））は、以下の式に従って算出される。
【数１０】
2010157900.tif 000012
【０１０１】
映像出力信号は、以下の式に従って算出される。
【数１１】
2010157900.tif 000013
【０１０２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０３】
上述した実施形態では、表示装置として液晶パネル３０が用いられるが、これに限定されるものではない。表示装置としては、ＬＣＯＳ（Ｌｉｑｕｉｄ  Ｃｒｙｓｔａｌ  ｏｎ  Ｓｉｌｉｃｏｎ）やＤＭＤ（Ｄｅｇｉｔａｌ  Ｍｉｃｒｏｍｉｒｒｏｒ  Ｄｅｖｉｃｅ）などが用いられてもよい。
【０１０４】
上述した実施形態では、光源として固体光源を用いるが、これに限定されるものではない。光源としては、白色光を発するＵＨＰランプが用いられてもよい。
【０１０５】
上述した実施形態では、ＨＳＶ変換が用いられているが、ＹＵＶ変換が用いられてもよい。このようなケースでは、明度成分に代えて、輝度成分が用いられることは勿論である。
【０１０６】
上述した実施形態では、赤画素補正係数ΔＲ（ｎ）、緑画素補正係数ΔＧ（ｎ）及び青画素補正係数ΔＢ（ｎ）は、画像（フレーム）を構成する画素毎に算出される。しかしながら、実施形態はこれに限定されるものではない。例えば、赤画素補正係数ΔＲ（ｎ）、緑画素補正係数ΔＧ（ｎ）及び青画素補正係数ΔＢ（ｎ）は、画像（フレーム）を構成するブロック毎に算出される。各ブロックは、複数の画素によって構成される。なお、所定単位は、画素やブロックを示す用語であることに留意すべきである。
【図面の簡単な説明】
【０１０７】
【図１】第１実施形態に係る投写型映像表示装置の構成を示す図である。
【図２】色相及び彩度を示す一般的な色再現範囲を示す図である。
【図３】第１実施形態に係る液晶パネル３０の色再現範囲を示す図である。
【図４】第１実施形態に係る信号処理装置２００の構成を示すブロック図である。
【図５】第１実施形態に係る色座標調整係数の算出方法を説明するための図である。
【図６】第１実施形態に係る色座標調整係数の算出方法を説明するための図である。
【図７】第１実施形態に係る明度調整係数の算出方法を説明するための図である。
【図８】第１実施形態に係る画素補正係数の算出方法を説明するための図である。
【図９】第１実施形態に係る画素補正係数の算出方法を説明するための図である。
【図１０】第１実施形態に係る彩度調整係数の算出方法を説明するための図である。
【符号の説明】
【０１０８】
１０・・・光源ユニット、２０・・・フライアイレンズユニット、３０・・・液晶パネル、４０・・・クロスダイクロイックプリズム、５０・・・投写レンズユニット、１００・・・投写型映像表示装置、２００・・・信号処理装置、２１０・・・ＨＳＶ変換処理部、２２０・・・係数制御部、２３０・・・明度調整部、２４０・・・彩度調整部、２５０・・・ＨＳＶ逆変換処理部、２６０・・・色座標調整部、２７０・・・表示素子制御部
【図１】
2010157900.tif 000014
【図２】
2010157900.tif 000015
【図３】
2010157900.tif 000016
【図４】
2010157900.tif 000017
【図５】
2010157900.tif 000018
【図６】
2010157900.tif 000019
【図７】
2010157900.tif 000020
【図８】
2010157900.tif 000021
【図９】
2010157900.tif 000022
【図１０】
2010157900.tif 000023